【事件の表示】
　特願２０１３−５４５１９４「メディア資産管理システム」拒絶査定不服審判事件〔平成２４年　６月２８日国際公開、ＷＯ２０１２／０８４６４１、平成２６年　１月２３日国内公表、特表２０１４−５０１９８５〕について、次のとおり審決する。
【結　論】
　本件審判の請求は、成り立たない。
【理　由】
第１　手続の経緯
　本願は、２０１１年（平成２３年）１２月１４日（パリ条約による優先権主張外国受理２０１０年１２月２０日、欧州）を国際出願日とする出願であって、平成２５年８月１９日付けで審査請求がなされ、平成２６年５月２０日付けで拒絶理由通知がなされ、同年８月１９日付けで意見書が提出されるとともに、同日付で手続補正がなされたが、平成２７年２月１３日付けで拒絶査定がなされたものである。
　これに対して、平成２７年６月２３日付けで拒絶査定不服審判が請求されたものである。
第２　本願発明について
　本願の請求項１に係る発明（以下、「本願発明」という。）は、平成２６年８月１９日付けの手続補正書によって補正された特許請求の範囲の請求項１に記載された事項により特定される次のとおりのものである。
「メディア資産リポジトリによって保持される少なくとも１つのメディア資産を管理するためのメディア資産管理システムであって、前記システムが、少なくとも１つのメディア資産を保持するための前記メディア資産リポジトリと、前記メディア資産リポジトリにアクセスするように構成されたユーザ端末（ＵＴ）とを備え、前記リポジトリが通信リンクを介して前記ユーザ端末に結合されるメディア資産管理システムにおいて、前記メディア資産管理システムが、
　ａ．前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）と、
　ｂ．前記メディア資産上の前記フィードバックの解釈／分析に基づいて管理される前記メディア資産に対する注釈を決定するように構成されたフィードバック解釈部（ＦＩＰ）と、
　ｃ．前記フィードバックに基づいて管理される前記メディア資産に注釈付けするように構成されたメディア資産注釈付加部（ＭＡＡＰ）をさらに備えることを特徴とする、メディア資産管理システム。」
第３　当審の判断
１．引用例について
（１）引用例１の記載について
　平成２６年５月２０日付けの拒絶理由通知で引用された特開２００７−３２８６７５号公報（以下、「引用例１」という。）には、図面とともに、以下のことが記載されている。（なお、下線は、当審において付与した。以下、同じ。）　
（ア）「【００３５】
  図２を参照して
本発明の情報処理装置の構成および処理について説明する。
情報処理装置２００は、例えば、ユーザがビデオカメラやスチルカメラで撮影したコンテンツ、あるいはインターネットや放送などを介して取得したコンテンツを、コンテンツ入力部２３１を介して入力し、コンテンツ制御部２３２の下に記憶部２３３に格納する
（イ）「【００３７】
  図２に示す各処理部の処理について説明する。
データ入力部２１０は、カメラ２１１、マイク２１２を有し、再生コンテンツを視聴するユーザの動きや表情をカメラ２１１で取得し、音声をマイク２１２で取得する。画像処理部２４１は、カメラ２１１で撮像された画像情報から、顔認識処理、笑顔認識などの処理を行い、処理結果を制御部２４３に出力する。
【００３８】
  
音声処理部２４２は、マイク２１２で集音された、音響・音声信号から、音声認識、話者認識、笑声認識などの処理を行い、処理結果を制御部２４３に出力する。
（ウ）「【００４１】
  
制御部２４３は、ユーザ入力部２４９を介してユーザ操作に基づくコンテンツ指定情報を伴うコンテンツ再生要求を入力すると、コンテンツ制御部２３２に対して、記憶部２３３からのコンテンツデータ読み出し、出力を要求する。コンテンツ制御部２３２は、この要求に応じて、指定されたコンテンツを記憶部２３３から読み出して、出力制御部２４８に出力し、出力制御部２４８の制御の下、ディスプレイ２２１、スピーカー２２２を介してコンテンツの再生が行なわれる。
（エ）「【００４３】
  
インタラクションメタデータ生成部２４６は、画像処理部２４１、音声処理部２４２での処理結果としての画像解析結果および音声解析結果情報を、制御部２４３を介して入力する。すなわち、再生コンテンツを視聴するユーザの動きや表情、音声に基づいて解析された結果、例えば、顔認識処理、笑顔認識処理結果や音声情報に基づく音声認識、話者認識、笑声認識情報などに基づいて、メタデータを生成し、これをインタラクションメタデータとしてメタデータ統合部２４５に出力する。
（オ）「【００４５】
  
メタデータ統合部２４５は、メタデータ生成部２５０、インタラクションメタデータ生成部２４６から入力するそれぞれのメタデータに対して、時刻情報を考慮して統合処理を実行し、コンテンツ制御部２３２に出力する。
コンテンツ制御部２３２では、これらのメタデータを再生コンテンツに対応するメタデータとして記憶部２３３に記録する。
　上記（ア）〜（オ）の記載を参照すると、次のことがいえる。
（あ）上記（ア）の記載から、情報処理装置であって、ユーザがビデオカメラやスチルカメラで撮影したコンテンツ、あるいはインターネットや放送などを介して取得したコンテンツを、コンテンツ入力部を介して入力し、コンテンツ制御部の下に記憶部に格納することがわかる。
（い）上記（イ）の記載から、データ入力部は、カメラ、マイクを有し、再生コンテンツを視聴するユーザの動きや表情をカメラで取得し、音声をマイクで取得し、画像処理部は、カメラで撮像された画像情報から、顔認識処理、笑顔認識などの処理を行い、処理結果を制御部に出力し、音声処理部で、マイクで集音された、音響・音声信号から、音声認識、話者認識、笑声認識などの処理を行い、処理結果を制御部に出力することがわかる。
（う）上記（ウ）の記載から、制御部は、ユーザ入力部を介してユーザ操作に基づくコンテンツ指定情報を伴うコンテンツ再生要求を入力すると、コンテンツ制御部に対して、記憶部からのコンテンツデータ読み出し、出力を要求し、コンテンツ制御部は、この要求に応じて、指定されたコンテンツを記憶部から読み出して、出力制御部に出力し、出力制御部の制御の下、ディスプレイ、スピーカーを介してコンテンツの再生が行なわれることがわかる。
（え）上記（エ）の記載から、インタラクションメタデータ生成部は、画像処理部、音声処理部での処理結果としての画像解析結果および音声解析結果情報を、制御部を介して入力し、再生コンテンツを視聴するユーザの動きや表情、音声に基づいて解析された結果に基づいて、メタデータを生成し、これをインタラクションメタデータとしてメタデータ統合部に出力することがわかる。
（お）上記（オ）の記載から、メタデータ統合部は、インタラクションメタデータ生成部から入力するメタデータに対して、時刻情報を考慮して統合処理を実行し、コンテンツ制御部に出力し、コンテンツ制御部では、これらのメタデータを再生コンテンツに対応するメタデータとして記憶部に記録することがわかる。
　上記（あ）〜（お）の事項を踏まえると、引用例１には、実質的に次の発明（以下、「引用例１発明」という。）が記載されているものと認められる。
　ユーザがビデオカメラやスチルカメラで撮影したコンテンツ、あるいはインターネットや放送などを介して取得したコンテンツを、コンテンツ入力部を介して入力し、コンテンツ制御部の下に記憶部に格納し、
　データ入力部は、カメラ、マイクを有し、再生コンテンツを視聴するユーザの動きや表情をカメラで取得し、音声をマイクで取得し、画像処理部は、カメラで撮像された画像情報から、顔認識処理、笑顔認識などの処理を行い、処理結果を制御部に出力し、音声処理部で、マイクで集音された、音響・音声信号から、音声認識、話者認識、笑声認識などの処理を行い、処理結果を制御部に出力し、
　制御部は、ユーザ入力部を介してユーザ操作に基づくコンテンツ指定情報を伴うコンテンツ再生要求を入力すると、コンテンツ制御部に対して、記憶部からのコンテンツデータ読み出し、出力を要求し、コンテンツ制御部は、この要求に応じて、指定されたコンテンツを記憶部から読み出して、出力制御部に出力し、出力制御部の制御の下、ディスプレイ、スピーカーを介してコンテンツの再生を行い、
　インタラクションメタデータ生成部は、画像処理部、音声処理部での処理結果としての画像解析結果および音声解析結果情報を、制御部を介して入力し、再生コンテンツを視聴するユーザの動きや表情、音声に基づいて解析された結果に基づいて、メタデータを生成し、これをインタラクションメタデータとしてメタデータ統合部に出力し、
　メタデータ統合部は、インタラクションメタデータ生成部から入力するメタデータに対して、時刻情報を考慮して統合処理を実行し、コンテンツ制御部に出力し、コンテンツ制御部では、これらのメタデータを再生コンテンツに対応するメタデータとして記憶部に記録する、
情報処理装置
（２）引用例２の記載について
　平成２７年２月１３日付けの拒絶査定で周知技術として引用された特開２００４−２４６５３５号公報（以下、「引用例２」という。）には、図面とともに、以下のことが記載されている。
（カ）「【０１４８】
［コンテンツ配信システムの実施形態］
以上の実施形態は、再生装置にコンテンツ記憶装置
が内蔵されていて、
コンテンツの再生ができるようにしたものであるが、前記記憶装置を内蔵する場合には、その記憶装置の容量に制限があり、大容量の記憶装置を内蔵しなれければならないという問題がある。
【０１４９】
この問題点を解決するために、この発明においては、コンテンツ配信システムを提供する。
【０１５０】
図１２は、この
コンテンツ配信システムの構成を示す図である。すなわち、この実施形態においては、インターネットなどのネットワーク１５０に、サーバ装置２００が接続されると共に、このサーバ装置２００に対してネットワーク１５０を通じてアクセス可能なクライアント端末３００の複数個が接続される。
【０１５１】
この実施形態においては、クライアント端末３００は、サーバ装置２００に対して会員登録することにより、パスワードや暗証番号等の認証用情報を、サーバ装置２００から取得し、その取得後は、それら取得したパスワードや暗証番号を用いて、サーバ装置２００で認証が取られることにより、サーバ装置２００に対してアクセスすることが可能になる。パスワードや暗証番号は、各クライアント端末３００毎に異なるものとされ、各クライアント端末３００のそれぞれを識別するための情報ともなる。
【０１５２】
この実施形態の
サーバ装置２００は、クライアント端末３００が要求したコンテンツをダウンロードする。
【０１５３】
図１３は、この実施形態のサーバ装置２００の構成例である。
この実施形態のサーバ装置２００は、
コンテンツデータベース記憶装置２１４と
が接続されている構成されている。
 （か）上記（カ）の記載によれば、引用例２には、次の事項が記載されているといえる。
　
＜引用例２の記載事項＞
　コンテンツ記憶装置を大容量のものとするために、再生装置にコンテンツ記憶装置を内蔵することに替えて、クライアント端末とサーバ装置をネットワークを通じてアクセス可能とし、サーバ装置にコンテンツデータベースを備え、サーバ装置がクライアント端末が要求したコンテンツをダウンロードするように構成する。
２．対比
（１）本願発明と引用例１発明とを対比する。
（ア）引用例１発明の「ユーザがビデオカメラやスチルカメラで撮影したコンテンツ、あるいはインターネットや放送などを介して取得したコンテンツ」は、本願発明の「メディア資産」に相当する。
　そして、引用例１発明では上記「コンテンツ」は「記憶部」に格納されているから、引用例１発明の「記憶部」は、本願発明の「メディア資産リポジトリ」に相当する。
　加えて、引用例１発明の「情報処理装置」は、「コンテンツ」を「記憶部」に格納するともに、指定された「コンテンツ」を「記憶部」から読み出し、また、再生中に取得したメタデータを再生コンテンツに対応するメタデータとして記憶部に記録しているから、引用例１発明の「情報処理装置」は、本願発明の「メディア資産リポジトリによって保持される少なくとも１つのメディア資産を管理するためのメディア資産管理システム」に相当する。
（イ）引用例１発明は、「ユーザ入力部」を介してユーザ操作に基づくコンテンツ指定情報を伴うコンテンツ再生要求を入力し、コンテンツ制御部に対して、記憶部からのコンテンツデータ読み出し、出力を要求し、コンテンツ制御部は、この要求に応じて、指定されたコンテンツを記憶部から読み出して、出力制御部に出力し、指定されたコンテンツを「出力制御部」の制御の下、「ディスプレイ」、「スピーカー」を介してコンテンツの再生を行っているから、引用例１発明の「ユーザ入力部」「出力制御部」「ディスプレイ」「スピーカー」は、本願発明の「前記メディア資産リポジトリにアクセスするように構成されたユーザ端末（ＵＴ）」に相当する。
（ウ）引用例１発明は、ユーザ入力部を介してユーザ操作に基づくコンテンツ指定情報を伴うコンテンツ再生要求を入力し、この要求に応じて、コンテンツの再生を行っているから、このことは、本願発明の「前記ユーザ端末（ＵＴ）によって前記メディア資産を管理する」ことに相当し、また、引用例１発明の、ユーザ入力部を介してユーザ操作に基づくコンテンツ指定情報によるコンテンツの再生（視聴）を行っているときは、本願発明の「前記ユーザ端末（ＵＴ）によって前記メディア資産を管理するとき」に相当する。
　そして、引用例１発明は、再生コンテンツを視聴するユーザの動きや表情をカメラで取得し、音声をマイクで取得しているから、このことは、本願発明の「前記ユーザ端末（ＵＴ）によって前記メディア資産を管理するときに、前記メディア資産上の前記ユーザ端末（ＵＴ）でのユーザのフィードバックを検出する」ことに相当する。
　してみれば、引用例１発明の「カメラ」「マイク」を有する「データ入力部」は、本願発明の「前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）」に相当する。
（エ）引用例１発明は、画像処理部で、カメラで撮像された画像情報から、顔認識処理、笑顔認識などの処理を行うと共に、音声処理部で、マイクで集音された、音響・音声信号から、音声認識、話者認識、笑声認識などの処理を行い、インタラクションメタデータ生成部で画像処理部、音声処理部での処理結果に基づいてメタデータを生成しているから、該「メタデータ」は、本願発明の「前記メディア資産上の前記フィードバックの解釈／分析に基づいて管理される前記メディア資産に対する注釈」に相当し、引用例１発明の「画像処理部」「音声処理部」「インタラクションメタデータ生成部」は、本願発明の「フィードバック解釈部（ＦＩＰ）」に相当する。
（オ）引用例１発明は、「メタデータ統合部」で、インタラクションメタデータ生成部から入力するメタデータに対して、時刻情報を考慮して統合処理を実行し、コンテンツ制御部に出力し、「コンテンツ制御部」では、これらのメタデータを再生コンテンツに対応するメタデータとして記憶部に記録しているから、引用例１発明の「メタデータ統合部」および「コンテンツ制御部」は、本願発明の「前記フィードバックに基づいて管理される前記メディア資産に注釈付けするように構成されたメディア資産注釈付加部（ＭＡＡＰ）」に相当する。
（２）以上（ア）〜（オ）のことから、本願発明と引用例１発明とは、以下の点で一致し、また、相違する。
　
［一致点］
　メディア資産リポジトリによって保持される少なくとも１つのメディア資産を管理するためのメディア資産管理システムであって、前記システムが、少なくとも１つのメディア資産を保持するための前記メディア資産リポジトリと、前記メディア資産リポジトリにアクセスするように構成されたユーザ端末（ＵＴ）とを備えるメディア資産管理システムにおいて、前記メディア資産管理システムが、
　ａ．前記ユーザ端末（ＵＴ）によって前記メディア資産を管理するときに、前記メディア資産上の前記ユーザ端末（ＵＴ）でのユーザのフィードバックを検出するように構成されたメディア資産フィードバック検出部（ＦＤＰ）と、
　ｂ．前記メディア資産上の前記フィードバックの解釈／分析に基づいて管理される前記メディア資産に対する注釈を決定するように構成されたフィードバック解釈部（ＦＩＰ）と、
　ｃ．前記フィードバックに基づいて管理される前記メディア資産に注釈付けするように構成されたメディア資産注釈付加部（ＭＡＡＰ）をさらに備えることを特徴とする、メディア資産管理システム。
［相違点］
　本願発明は、メディア資産リポジトリとユーザ端末（ＵＴ）とが通信リンクを介して結合されているのに対して、引用例１発明はそのようになっていない点。
３．当審の判断
　上記相違点について検討する。
　
（１）［相違点］について
　引用例２に記載されているように、より多くのメディア資産を管理するために、端末でメディア資産を管理することに替えて、サーバでメディア資産を管理するようにし、ネットワークを介して端末に結合するようにすることは、周知の技術である。
　そして、引用例１発明において、より多くのメディア資産を管理するように考慮することは当然なされることであり、その際、引用例２に記載された周知技術のように、メデイア資産リポジトリをネットワークを介してユーザ端末と結合するようにし、本願発明と同様の構成とすることは、当業者が必要に応じ適宜為し得る事項である。
　そして、本願発明の作用効果も、引用例１発明および周知の技術から当業者が予測できる範囲のものである。
第４　むすび
　以上のとおり、本願発明は、引用例１発明および周知の技術に基づいて、当業者が容易に発明をすることが出来たものであるから、特許法第２９条第２項の規定により特許を受けることができない。
　したがって、本願は他の請求項について検討するまでもなく拒絶されるべきものである。
　よって、結論のとおり審決する。